【手続補正書】
【提出日】平成17年4月11日(2005.4.11)
【手続補正１】
【補正対象書類名】明細書
【補正対象項目名】特許請求の範囲
【補正方法】変更
【補正の内容】
【特許請求の範囲】
【請求項１】
対物レンズを保持するレンズホルダと、前記レンズホルダを弾性部材を介して支持する樹脂成形された基体とを有するレンズ駆動装置であって、
前記弾性部材は、前記樹脂成形の際に前記基体に一体化して支持され、且つ前記一体化された支持部分に連なって前記基体に成形された隙間内に配設され、前記隙間内に充填された制震材中に埋設されていることを特徴とするレンズ駆動装置。
【請求項２】
前記隙間は、前記樹脂成形の際に前記弾性部材に近接して成形された互いに対向する凹部と突出部によって形成されていることを特徴とする請求項１に記載のレンズ駆動装置。
【請求項３】
対物レンズを保持する樹脂成形されたレンズホルダと、前記レンズホルダを弾性部材を介して支持する基体とを有するレンズ駆動装置であって、
前記弾性部材は、前記樹脂成形の際に前記レンズホルダに一体化して支持され、且つ前記一体化された支持部分に連なって前記レンズホルダに成形された隙間内に配設され、前記隙間内に充填された制震材中に埋設されていることを特徴とするレンズ駆動装置。
【請求項４】
前記隙間は、前記樹脂成形の際に前記弾性部材に近接して成形された互いに対向する凹部と突出部によって形成されていることを特徴とする請求項３に記載のレンズ駆動装置。
【請求項５】
前記凹部と突出部は、前記弾性部材の長手方向に沿って長尺状に成形されていることを特徴とする請求項２又は４に記載のレンズ駆動装置。
【請求項６】
前記凹部と突出部は、樹脂成形用金型によって成形されていることを特徴とする請求項５に記載のレンズ駆動装置。
【請求項７】
前記制震材は紫外線硬化樹脂であることを特徴とする請求項１〜５のいずれか１項に記載のレンズ駆動装置。
【請求項８】
対物レンズを保持するレンズホルダと、前記レンズホルダを弾性部材を介して支持する基体とを有するレンズ駆動装置の製造装置であって、
前記基体の基部を成形するための第１の凹部と、前記第１の凹部に隣接する凸部と、前記凸部に隣接し且つ前記第１の凹部に部分的に連通する第２の凹部とを有するキャビティが形成された金型を備え、
前記弾性部材を前記金型の前記凸部と前記第１，第２の凹部の前記連通する部分との間に渡した状態で前記金型のキャビティ中に合成樹脂を充填することにより、前記弾性部材を前記連通する部分に充填した合成樹脂で成形される前記基部に支持し且つ前記凸部により形成される隙間内に配設した後、前記隙間内に制震材を充填することで前記弾性部材を制震材中に埋設することを特徴とするレンズ駆動装置の製造装置。
【請求項９】
対物レンズを保持するレンズホルダと、前記レンズホルダを弾性部材を介して支持する基体とを有するレンズ駆動装置の製造装置であって、  前記レンズホルダの基部を成形するための第１の凹部と、前記第１の凹部に隣接する凸部と、前記凸部に隣接し且つ前記第１の凹部に部分的に連通する第２の凹部とを有するキャビティが形成された金型を備え、
前記弾性部材を前記金型の前記凸部と前記第１，第２の凹部の前記連通する部分との間に渡した状態で前記金型のキャビティ中に合成樹脂を充填することにより、前記弾性部材を前記連通する部分に充填した合成樹脂で成形される前記基部に支持し且つ前記凸部により形成される隙間内に配設した後、前記隙間内に制震材を充填することで前記弾性部材を制震材中に埋設することを特徴とするレンズ駆動装置の製造装置。
【請求項１０】
前記金型は、
互いの組み合わせによって前記第１，第２の凹部と第１の凸部とを構成する第１，第２の型と、
前記第１，第２の型の間に挿入され且つ前記第２の凹部の開口端を塞ぐ共に前記第１の凸部の先端に接触して挿入される第１の規制突部を有する第３の型から成り、
前記キャビティへの合成樹脂の充填により前記第２の凹部中に成形される前記突出部を、前記第１の凸部と前記第１の規制突部で形成される隙間を介して前記基部に対向して形成することを特徴とする請求項８又は９に記載のレンズ駆動装置の製造装置。
【請求項１１】
対物レンズを保持するレンズホルダと、前記レンズホルダを弾性部材を介して支持する基体とを有するレンズ駆動装置の製造装置であって、
前記基体の基部を成形するための第１の凹部と、前記第１の凹部に隣接する第１の凸部と、前記第１の凸部に隣接し且つ前記第１の凹部に部分的に連通する第２の凹部とを有する第１の樹脂成形用キャビティと、
前記レンズホルダの基部を成形するための第３の凹部と、前記第３の凹部に隣接する第２凸部と、前記第２の凸部に隣接し且つ前記第３の凹部に部分的に連通する第４の凹部とを有する第２の樹脂成形用キャビティとを有する金型を備え、
前記弾性部材を前記金型の前記第１の凸部と前記第１，第２の凹部の前記連通する部分との間及び、前記第２の凸部と前記第３，第４の凹部の前記連通する部分との間に渡した状態で前記第１，第２の樹脂成形用キャビティ中に合成樹脂を充填することにより、前記弾性部材を前記連通する部分に充填した合成樹脂で成形される前記基体及び前記レンズホルダの前記両基部に支持し且つ前記第１，第２の凸部により形成される各隙間内に配設した後、前記各隙間内に制震材を充填することで前記弾性部材を制震材中に埋設することを特徴とするレンズ駆動装置の製造装置。
【請求項１２】
対物レンズを保持するレンズホルダと、前記レンズホルダを弾性部材を介して支持する基体とを有するレンズ駆動装置の製造方法であって、
前記基体の基部を成形するための第１の凹部と、前記第１の凹部に隣接する凸部と、前記凸部に隣接し且つ前記第１の凹部に部分的に連通する第２の凹部とを有するキャビティが形成された金型内に、前記弾性部材を前記凸部と前記第１，第２の凹部の前記連通する部分との間に渡した状態で嵌挿する第１の工程と、
前記金型の前記キャビティ中に合成樹脂を充填することにより、前記弾性部材を前記連通する部分に充填した合成樹脂で成形される前記基部に一体に支持し且つ前記第１，第２の凹部の間の前記凸部により形成される隙間内に配設する第２の工程と、
前記金型を分離した後、前記隙間内に制震材を充填することで、前記弾性部材を制震材中に埋設する第３の工程とを有することを特徴とするレンズ駆動装置の製造方法。
【請求項１３】
対物レンズを保持するレンズホルダと、前記レンズホルダを弾性部材を介して支持する基体とを有するレンズ駆動装置の製造方法であって、
前記レンズホルダの基部を成形するための第１の凹部と、前記第１の凹部に隣接する凸部と、前記凸部に隣接し且つ前記第１の凹部に部分的に連通する第２の凹部とを有するキャビティが形成された金型内に、前記弾性部材を前記凸部と前記第１，第２の凹部の前記連通する部分との間に渡した状態で嵌挿する第１の工程と、
前記金型の前記キャビティ中に合成樹脂を充填することにより、前記弾性部材を前記連通する部分に充填した合成樹脂で成形される前記基部に一体に支持し且つ前記第１，第２の凹部の間の前記凸部により形成される隙間内に配設する第２の工程と、
前記金型を分離した後、前記隙間内に制震材を充填することで、前記弾性部材を制震材中に埋設する第３の工程とを有することを特徴とするレンズ駆動装置の製造方法。
【請求項１４】
前記第３の工程において、紫外線硬化樹脂を前記制震材として充填することを特徴とする請求項１２又は１３に記載のレンズ駆動装置の製造方法。
【請求項１５】
対物レンズを保持するレンズホルダと、前記レンズホルダを弾性部材を介して支持する樹脂成形された基体とを有するレンズ駆動装置であって、
前記基体は樹脂で一体形成され、前記弾性部材は、前記樹脂成形の際に前記基体に一体化して支持され、前記基体が一体形成される際に前記基体に成形された隙間内に配設され、前記隙間内に充填された制震材中に埋設されていることを特徴とするレンズ駆動装置。
【請求項１６】
対物レンズを保持する樹脂成形されたレンズホルダと、前記レンズホルダを弾性部材を介して支持する基体とを有するレンズ駆動装置であって、
前記レンズホルダは樹脂で一体形成され、
前記弾性部材は、前記樹脂成形の際に前記レンズホルダに一体化して支持され、前記レンズホルダが一体形成される際に前記レンズホルダに成形された隙間内に配設され、前記隙間内に充填された制震材中に埋設されていることを特徴とするレンズ駆動装置。
【手続補正２】
【補正対象書類名】明細書
【補正対象項目名】００２９
【補正方法】変更
【補正の内容】
【００２９】
これらのレンズ駆動装置の製造方法によれば、樹脂成形によって基体又はレン
ズホルダが一体成形されると共に、弾性部材も基体又はレンズホルダに一体化さ
れて支持される。更に、樹脂成形によって基体又はレンズホルダに一体成形され
たそれぞれの隙間内に弾性部材が配設され、更に隙間内に充填された制震材によ
って弾性部材が囲まれた状態で埋設される。これにより、部品点数が少なく且つ
少ない製造工程数で製造されたレンズ駆動装置を提供することができる。更に、
弾性部材が配設された隙間内に制震材が充填されることで、制震材の液垂れの無
いレンズ駆動装置を提供することができる。例えば、制震材として紫外線硬化樹
脂を使用した場合でも、液垂れの無いレンズ駆動装置を提供することができる。
また、対物レンズを保持するレンズホルダと、レンズホルダを弾性部材を介して支持する樹脂成形された基体とを有するレンズ駆動装置であって、基体は樹脂で一体形成され、弾性部材は、樹脂成形の際に基体に一体化して支持され、基体が一体形成される際に基体に成形された隙間内に配設され、隙間内に充填された制震材中に埋設されていることを特徴。
また、対物レンズを保持する樹脂成形されたレンズホルダと、レンズホルダを弾性部材を介して支持する基体とを有するレンズ駆動装置であって、
レンズホルダは樹脂で一体形成され、
弾性部材は、樹脂成形の際にレンズホルダに一体化して支持され、レンズホルダが一体形成される際にレンズホルダに成形された隙間内に配設され、隙間内に充填された制震材中に埋設されていることを特徴とするレンズ駆動装置。